(57)【要約】    【課題】  繊維、繊維束や糸などに無電解めっきを均等に付着する。    【解決手段】  繊維、繊維束や糸などの巻き筒Ｂにめっき液を供給し、そのめっき液の析出反応が活発である間、めっき液が巻き筒Ｂを内側から外側又は外側から内側への一方向に流れる順流工程と、めっき液が巻き筒Ｂを外側から内側又は内側から外側への逆方向に流れる逆流工程とを交互に繰り返し、巻き筒Ｂの繊維、繊維束や糸などに無電解めっきを施す。順流工程と逆流工程との間、逆流工程と順流工程との間には、めっき液が流れずに巻き筒がめっき液に浸漬している滞留工程がある。めっき液は、繊維、繊維束や糸などに金属が低速度で析出する低反応性の無電解めっき液である。【選択図】  図１
2005097670.tif 000002
【特許請求の範囲】
【請求項１】
繊維、繊維束や糸などの巻き筒にめっき液を供給し、
そのめっき液の析出反応が活発である間、めっき液が巻き筒を内側から外側又は外側から内側への一方向に流れる順流工程と、めっき液が巻き筒を外側から内側又は内側から外側への逆方向に流れる逆流工程とを交互に繰り返し、
巻き筒の繊維、繊維束や糸などに無電解めっきを施すことを特徴とするめっき方法。
【請求項２】
順流工程と逆流工程との間、逆流工程と順流工程との間には、めっき液が流れずに巻き筒がめっき液に浸漬している滞留工程を設けることを特徴とする請求項１に記載のめっき方法。
【請求項３】
めっき液は、繊維、繊維束や糸などに金属が低速度で析出する低反応性の無電解めっき液であることを特徴とする請求項１又は２に記載のめっき方法。
【請求項４】
巻き筒の繊維、繊維束や糸などに無電解めっきの本処理を施す前に、そのめっきの前処理液を巻き筒に供給し、
前処理液が巻き筒を内側から外側又は外側から内側への一方向に流れる順流工程と、前処理液が巻き筒を外側から内側又は内側から外側への逆方向に流れる逆流工程とを交互に繰り返し、
巻き筒の繊維、繊維束や糸などに無電解めっきの前処理を施すことを特徴とするめっき方法。
【請求項５】
処理槽には管状軸を設け、管状軸の周壁は、透液性にして処理槽の内部に配置し、管状軸の外回りには、繊維、繊維束や糸などの巻き筒を着脱可能にし、
管状軸内にめっき液を押し込む圧入ポンプと、管状軸内からめっき液を吸い出す吸引ポンプを設け、管状軸には、めっき液の順流通路と逆流通路を接続し、順流通路は、圧入ポンプ又は吸引ポンプで、めっき液を巻き筒の内側から外側又は外側から内側への一方向に流す構成にし、逆流通路は、吸引ポンプ又は圧入ポンプで、めっき液を巻き筒の外側から内側又は内側から外側への逆方向に流す構成にし、
順流制御装置と逆流制御装置を設け、順流制御装置は、タイマーに設定した順流時間の間、圧入ポンプ又は吸引ポンプを作動して順流通路にめっき液を流す構成にし、逆流制御装置は、タイマーに設定した逆流時間の間、吸引ポンプ又は圧入ポンプを作動して逆流通路にめっき液を流す構成にし、
また、めっき時間制御装置を設け、めっき時間制御装置は、タイマーに設定しためっき時間の間、順流制御装置と逆流制御装置とを交互に繰り返して作動する構成にしたことを特徴とするめっき装置。
【請求項６】
滞留時間制御装置を設け、滞留時間制御装置は、順流制御装置が停止してから逆流制御装置が作動するまでの時間と、逆流制御装置が停止してから順流制御装置が作動するまでの時間とを、それぞれ、タイマーに設定した滞留時間にする構成にしたことを特徴とする請求項５に記載のめっき装置。
【請求項７】
処理槽には管状軸を設け、管状軸の周壁は、透液性にして処理槽の内部に配置し、管状軸の外回りには、繊維、繊維束や糸などの巻き筒を着脱可能にし、
管状軸内に前処理液を押し込む圧入ポンプと、管状軸内から前処理液を吸い出す吸引ポンプを設け、管状軸には、前処理液の順流通路と逆流通路を接続し、順流通路は、圧入ポンプ又は吸引ポンプで、前処理液を巻き筒の内側から外側又は外側から内側への一方向に流す構成にし、逆流通路は、吸引ポンプ又は圧入ポンプで、前処理液を巻き筒の外側から内側又は内側から外側への逆方向に流す構成にし、
順流制御装置と逆流制御装置を設け、順流制御装置は、タイマーに設定した順流時間の間、圧入ポンプ又は吸引ポンプを作動して順流通路に前処理液を流す構成にし、逆流制御装置は、タイマーに設定した逆流時間の間、吸引ポンプ又は圧入ポンプを作動して逆流通路に前処理液を流す構成にし、
また、前処理時間制御装置を設け、前処理時間制御装置は、タイマーに設定した前処理時間の間、順流制御装置と逆流制御装置とを交互に作動する構成にしたことを特徴とするめっき装置。
【請求項８】
請求項１〜４のいずれかに記載のめっき方法で繊維、繊維束又は糸に無電解めっきを施し、めっきが連続して被覆されて導電性があることを特徴とする繊維、繊維束又は糸。
【発明の詳細な説明】
【技術分野】
【０００１】
本発明は、繊維、繊維束や糸などにめっきを施す技術に関する。
【背景技術】
【０００２】
特許文献１は、白色導電糸を製造する技術を開示している。めっき槽は、中心部に管状の軸を縦に設けている。この管状軸は、上端を閉鎖し、周壁に多数の液通過孔を貫通している。管状軸の閉鎖上端と液通過孔付き周壁は、めっき槽の内部に配置している。管状軸の下端は、めっき槽の下側に突出している。めっき液の貯蔵槽は、ポンプを経て管状軸の下端に接続している。めっき槽の内部は、上下の両位置をめっき液の貯蔵槽に接続している。
【０００３】
めっき槽内の管状軸には、その外回りに円筒形状の巻糸体を差し込む。巻糸体は、透液性の巻芯にポリエステル、ナイロンやアクリルの糸を巻いている。めっき液は、貯蔵槽からポンプで管状軸の下端に供給される。管状軸に流入しためっき液は、管状軸の周壁の液通過孔から巻糸体内側の透液性巻芯を経て、巻糸体の糸間の隙間を通過し、巻糸体の外側に流出し、めっき槽に流入する。めっき槽に流入しためっき液は、貯蔵槽に戻る。巻糸体の糸は、銀又は白金の無電解めっきが施され、白色導電糸になる。白色導電糸は、電磁波シールドに使用される。
【０００４】
また、特許文献１は、「めっき液の管状軸への供給を一時停止し、めっき槽に貯留しためっき液を巻糸体に浸透させ、必要に応じ、このめっき液を、管状軸を経て系外に排出し、めっき槽から巻糸体を経て管状軸に向う逆流を一時的に形成し、これによりめっきの均一性を向上させる」ことを提案している。
【０００５】
【特許文献１】特開２００１−４０５７８号公報
【発明の開示】
【発明が解決しようとする課題】
【０００６】
特許文献１の技術では、銀又は白金の無電解めっきが巻糸体の糸に均等に付着しない。めっきは、巻糸体の内外での不均等が大きい。繊維、繊維束や糸などに無電解めっきを均等に付着することが望まれる。
【０００７】
［課題が発生する原因］
特許文献１の技術においては、巻糸体を貫流する無電解めっき液は、強還元剤のホルマリンを用い、還元力が強く、金属の析出速度が早い。高反応性である。換言すると、高反応性のめっき液は、活性の低下速度が早く、金属の析出反応が活発な時間が短い。１分未満である。
【０００８】
高反応性のめっき液は、巻糸体を通過したときに、活性が低下する程度が高い。高反応性のめっき液が巻糸体を内側から外側に通過すると、内側の糸でめっきが付着し易く、外側の糸でめっきが付着し難い。めっきは、巻糸体の内外で均等にならない。
【０００９】
また、特許文献１は、巻糸体を通過しためっき液を巻糸体に一時的に浸透させることを提案しているが、巻糸体を通過した高反応性のめっき液は、活性が大きく低下しているので、これを巻糸体に一時的に浸透させても、めっきを巻糸体の内外で均等にする効果は、ほとんどない。
【００１０】
また、特許文献１は、巻糸体を通過しためっき液を一時的に逆流させることを提案しているが、巻糸体を通過した高反応性のめっき液は、活性が大きく低下しているので、これを巻糸体に一時的に逆流させても、めっきを巻糸体の内外で均等にする効果は、極めて低い。更に、特許文献１は、めっき液を一時的に逆流させる装置を開示していない。
【００１１】
［課題を解決するための着眼と研究］
１）繊維、繊維束や糸などの巻き筒に付着するめっきを均等にするため、高反応性のめっき液に代えて、低反応性のめっき液を用いることに着眼した。低反応性のめっき液は、巻き筒を通過したときに、活性が低下する程度が低い。めっきは、巻き筒の内外での不均等が小さくなる。
【００１２】
ところが、低反応性のめっき液は、金属の析出速度が遅く、生産性の向上に反するので、市販品がほとんどない。繊維、繊維束や糸などに使用可能な低反応性のめっき液は、市販されていない。
【００１３】
そこで、繊維用の低反応性の無電解めっき液を開発した。このめっき液は、弱還元剤や析出遅延剤を用いる。繊維、繊維束や糸などに金属が低速度で析出する。
【００１４】
２）次に、この繊維用低反応性無電解めっき液を巻き筒に供給し、そのめっき液の析出反応が活発である間、めっき液の順流と逆流を交互に繰り返すことを考え付いた。順流工程は、めっき液が巻き筒を内側から外側に貫流する。逆流工程は、めっき液が巻き筒を外側から内側に貫流する。巻き筒に供給するめっき液の析出反応が活発である間、めっき液の順流と逆流を交互に繰り返すと、めっきは、巻き筒の内外で均等になる。
【００１５】
また、順流工程と逆流工程との間、逆流工程と順流工程との間には、めっき液の滞留工程を設けることを考え付いた。滞留工程は、めっき液が流れずに巻き筒がめっき液に浸漬している。滞留工程があると、めっき液の順流と逆流の切り替えが円滑である上、めっき液が巻き筒に浸透する。
【００１６】
実施態様では、巻き筒に供給するめっき液の析出反応が活発である時間は、０．５〜２時間位である。順流工程の時間と逆流工程の時間は、それぞれ、２〜１０分位である。滞留工程は、数秒〜１分位である。
【００１７】
３）めっき装置は、上記のめっき方法を実施する構成を考案した。巻き筒を外回りに差し込む管状軸には、めっき液の順流通路と逆流通路を接続する。順流通路は、管状軸内にめっき液を押し込む圧入ポンプを設け、めっき液を巻き筒の内側から外側に流す。逆流通路は、管状軸内からめっき液を吸い出す吸引ポンプを設け、めっき液を巻き筒の外側から内側に流す。
【００１８】
順流通路と逆流通路には、順流制御装置と逆流制御装置を接続する。順流制御装置は、タイマーに設定した順流時間の間、圧入ポンプを作動して順流通路にめっき液を流す。逆流制御装置は、タイマーに設定した逆流時間の間、吸引ポンプを作動して逆流通路にめっき液を流す。
【００１９】
順流制御装置と逆流制御装置には、めっき時間制御装置を接続する。めっき時間制御装置は、タイマーに設定しためっき時間の間、順流制御装置と逆流制御装置とを交互に繰り返して作動する。
【００２０】
また、めっき時間制御装置には、滞留時間制御装置を接続する。滞留時間制御装置は、順流制御装置が停止してから逆流制御装置が作動するまでの時間と、逆流制御装置が停止してから順流制御装置が作動するまでの時間とを、それぞれ、タイマーに設定した滞留時間にする。
【課題を解決するための手段】
【００２１】
１）繊維、繊維束や糸などの巻き筒にめっき液を供給し、
そのめっき液の析出反応が活発である間、めっき液が巻き筒を内側から外側又は外側から内側への一方向に流れる順流工程と、めっき液が巻き筒を外側から内側又は内側から外側への逆方向に流れる逆流工程とを交互に繰り返し、
巻き筒の繊維、繊維束や糸などに無電解めっきを施すことを特徴とするめっき方法。
【００２２】
２）このめっき方法において、
順流工程と逆流工程との間、逆流工程と順流工程との間には、めっき液が流れずに巻き筒がめっき液に浸漬している滞留工程を設けることを特徴とする。
【００２３】
３）上記のめっき方法において、
めっき液は、繊維、繊維束や糸などに金属が低速度で析出する低反応性の無電解めっき液であることを特徴とする。
【００２４】
４）巻き筒の繊維、繊維束や糸などに無電解めっきの本処理を施す前に、そのめっきの前処理液を巻き筒に供給し、
前処理液が巻き筒を内側から外側又は外側から内側への一方向に流れる順流工程と、前処理液が巻き筒を外側から内側又は内側から外側への逆方向に流れる逆流工程とを交互に繰り返し、
巻き筒の繊維、繊維束や糸などに無電解めっきの前処理を施すことを特徴とするめっき方法。
【００２５】
５）処理槽には管状軸を設け、管状軸の周壁は、透液性にして処理槽の内部に配置し、管状軸の外回りには、繊維、繊維束や糸などの巻き筒を着脱可能にし、
管状軸内にめっき液を押し込む圧入ポンプと、管状軸内からめっき液を吸い出す吸引ポンプを設け、管状軸には、めっき液の順流通路と逆流通路を接続し、順流通路は、圧入ポンプ又は吸引ポンプで、めっき液を巻き筒の内側から外側又は外側から内側への一方向に流す構成にし、逆流通路は、吸引ポンプ又は圧入ポンプで、めっき液を巻き筒の外側から内側又は内側から外側への逆方向に流す構成にし、
順流制御装置と逆流制御装置を設け、順流制御装置は、タイマーに設定した順流時間の間、圧入ポンプ又は吸引ポンプを作動して順流通路にめっき液を流す構成にし、逆流制御装置は、タイマーに設定した逆流時間の間、吸引ポンプ又は圧入ポンプを作動して逆流通路にめっき液を流す構成にし、
また、めっき時間制御装置を設け、めっき時間制御装置は、タイマーに設定しためっき時間の間、順流制御装置と逆流制御装置とを交互に繰り返して作動する構成にしたことを特徴とするめっき装置。
【００２６】
６）このめっき装置において、
滞留時間制御装置を設け、滞留時間制御装置は、順流制御装置が停止してから逆流制御装置が作動するまでの時間と、逆流制御装置が停止してから順流制御装置が作動するまでの時間とを、それぞれ、タイマーに設定した滞留時間にする構成にしたことを特徴とする。
【００２７】
７）処理槽には管状軸を設け、管状軸の周壁は、透液性にして処理槽の内部に配置し、管状軸の外回りには、繊維、繊維束や糸などの巻き筒を着脱可能にし、
管状軸内に前処理液を押し込む圧入ポンプと、管状軸内から前処理液を吸い出す吸引ポンプを設け、管状軸には、前処理液の順流通路と逆流通路を接続し、順流通路は、圧入ポンプ又は吸引ポンプで、前処理液を巻き筒の内側から外側又は外側から内側への一方向に流す構成にし、逆流通路は、吸引ポンプ又は圧入ポンプで、前処理液を巻き筒の外側から内側又は内側から外側への逆方向に流す構成にし、
順流制御装置と逆流制御装置を設け、順流制御装置は、タイマーに設定した順流時間の間、圧入ポンプ又は吸引ポンプを作動して順流通路に前処理液を流す構成にし、逆流制御装置は、タイマーに設定した逆流時間の間、吸引ポンプ又は圧入ポンプを作動して逆流通路に前処理液を流す構成にし、
また、前処理時間制御装置を設け、前処理時間制御装置は、タイマーに設定した前処理時間の間、順流制御装置と逆流制御装置とを交互に作動する構成にしたことを特徴とするめっき装置。
【００２８】
８）上記のめっき方法で繊維、繊維束又は糸に無電解めっきを施し、めっきが連続して被覆されて導電性があることを特徴とする繊維、繊維束又は糸。
【発明の効果】
【００２９】
繊維、繊維束や糸などの巻き筒に供給するめっき液の析出反応が活発である間、めっき液が巻き筒を一方向に通過する順流工程と、めっき液が巻き筒を逆方向に通過する逆流工程とが交互に繰り返される。
【００３０】
また、巻き筒を通過するめっき液は、繊維、繊維束や糸などに金属が低速度で析出する低反応性の無電解めっき液である。
【００３１】
従って、巻き筒の繊維、繊維束や糸などに付着するめっきは、巻き筒の内外で均等になり易い。
【発明を実施するための最良の形態】
【００３２】
実施形態の無電解めっきは、めっきの前処理と本処理とからなる。
【００３３】
［無電解めっきの本処理（図１〜図３参照）］
＜本処理装置の構成、めっき装置＞
無電解めっき装置の本処理装置は、図１又は図２に示すように、上面を開口した処理槽１の中心部に円管の管状軸２を縦に設けている。管状軸２は、上端を閉鎖し、周壁に多数の液通過孔を貫通している。管状軸２の閉鎖上端と透液性の周壁は、処理槽１の内部に配置している。管状軸２の下端は、処理槽１の下側に露出して突出している。
【００３４】
巻き筒Ｂは、円筒形状の透液性の巻芯に繊維、繊維束又は糸を円筒形状にチーズ巻きし、かつ、緩くソフト巻きしている。この巻き筒Ｂは、管状軸２の外回りに差し込まれると、処理槽１内に没入する。巻き筒Ｂの下面が処理槽１の底板上の座板に当って重なり、巻き筒Ｂの上面から管状軸２の上端が突出する。管状軸２の上端は、外周を螺子部にしている。この螺子部には、ナット３を螺合し、ナット３の下面を巻き筒Ｂの上面に当てて重ねる。巻き筒Ｂは、管状軸２の外回りに着脱可能にしている。
【００３５】
処理槽１の側方には、めっき液の金属塩溶液の貯蔵槽４とめっき液の還元溶液の貯蔵槽５を設けている。処理槽１の下側には、液槽６を設けている。金属塩溶液の貯蔵槽４と還元溶液の貯蔵槽５は、それぞれ、ポンプ付きの供給通路７、８で液槽６に接続している。めっき液の金属塩溶液と還元溶液は、ポンプ付き供給通路７、８で液槽６に供給され、液槽６で混合する。金属塩溶液の供給量と供給時期を制御する供給制御装置と、還元溶液の供給量と供給時期を制御する供給制御装置を設けている。
【００３６】
液槽６は、供給管９で管状軸２の下端に接続している。供給管９には、ポンプ１０と逆止弁を介在している。ポンプ１０は、液槽６のめっき液を管状軸２内に押し込む。圧入ポンプである。処理槽１は、管状軸２に取り付けた巻き筒Ｂより高い位置に流出口を設け、この流出口を流出管１１で液槽６に接続している。液槽６、圧入ポンプ１０付き供給管９、管状軸２、処理槽１と流出管１１で、めっき液を、管状軸２に固定した巻き筒Ｂの内側から外側に流す順流通路を構成している。
【００３７】
管状軸２の下端は、逆流管１２で処理槽１の外側を経て処理槽１に接続している。逆流管１２には、電磁開閉弁１３、ポンプ１４と逆止弁を介在している。ポンプ１４は、管状軸２内からめっき液を吸い出す。吸引ポンプである。管状軸２、吸引ポンプ１４付き逆流管１２と処理槽１で、めっき液を、管状軸２に固定した巻き筒Ｂの外側から内側に流す逆流通路を構成している。
【００３８】
順流通路と逆流通路には、順流制御装置と逆流制御装置を接続している。順流制御装置は、タイマーに予め設定した順流時間の間、電磁開閉弁１３を閉鎖し、圧入ポンプ１０を作動して、順流通路にめっき液を流す。順流時間は、２〜１０分位である。逆流制御装置は、タイマーに予め設定した逆流時間の間、電磁開閉弁１３を開放し、吸引ポンプ１４を作動して、逆流通路にめっき液を流す。逆流時間は、２〜１０分位である。
【００３９】
順流制御装置と逆流制御装置には、めっき時間制御装置を接続している。めっき時間制御装置は、タイマーに予め設定しためっき時間の間、順流制御装置と逆流制御装置とを交互に繰り返して作動する。めっき時間は、０．５〜２時間位である。
【００４０】
また、めっき時間制御装置には、滞留時間制御装置を接続している。滞留時間制御装置は、順流制御装置が停止してから逆流制御装置が作動するまでの時間と、逆流制御装置が停止してから順流制御装置が作動するまでの時間とを、それぞれ、タイマーに予め設定した滞留時間にする。滞留時間は、数秒〜１分位である。
【００４１】
処理槽１の底板には、排出口を設け、この排出口を排出通路１５で液槽６に接続している。排出通路１５には、手動開閉弁を介在している。
【００４２】
＜本処理装置の作用、めっき方法＞
無電解めっきの本処理を行う場合、先ず、本処理装置の運転準備を行う。管状軸２には、図１に示すように、チーズソフト巻きの巻き筒Ｂを取り付ける。排出通路１５は、手動開閉弁で閉鎖する。貯蔵槽４、５には、それぞれ、めっき液の金属塩溶液と還元溶液を貯蔵する。めっき液は、繊維、繊維束又は糸に金属が低速度で析出する低反応性の無電解めっき液である。
【００４３】
本処理装置は、運転準備の後、作動する。すると、金属塩溶液の供給制御装置と還元溶液の供給制御装置が作動する。貯蔵槽４の金属塩溶液と貯蔵槽５の還元溶液は、それぞれ、予め設定した量が液槽６に供給される。金属塩溶液と還元溶液は、液槽６で混合して、金属の析出反応が始まる。すると、めっき時間制御装置が作動する。予め設定しためっき時間、めっき液の析出反応が活発である時間、例えば１．５時間の間、図３に示すように、順流工程と逆流工程とが交互に繰り返される。順流工程と逆流工程との間、逆流工程と順流工程との間には、滞留工程が介在する。
【００４４】
順流工程では、順流制御装置が作動する。予め設定した順流時間、例えば５分の間、電磁開閉弁１３を閉鎖し、圧入ポンプ１０を作動して、順流通路にめっき液を流す。液槽６の金属塩溶液と還元溶液が混合しためっき液は、圧入ポンプ１０付き供給管９を経て管状軸２に流入し、管状軸２に固定した巻き筒Ｂを内側から外側に通過し、処理槽１に流入する。処理槽１に流入しためっき液は、液面が上昇し、管状軸２に固定した巻き筒Ｂがめっき液に没入する。処理槽１のめっき液の液面が処理槽１の流出口、流出管１１の入口に達すると、処理槽１の流出口を超えるめっき液は、流出管１１を経て液槽６に流入する。めっき液は、液槽６、圧入ポンプ１０付き供給管９、管状軸２、処理槽１と流出管１１からなる順流通路を循環する。予め設定した供給時期には、金属塩溶液の供給制御装置と還元溶液の供給制御装置が再び作動する。貯蔵槽４の金属塩溶液と貯蔵槽５の還元溶液は、再び、予め設定した量が液槽６に供給される。液槽６には、新しい金属塩溶液と還元溶液が追加される。
【００４５】
逆流工程では、逆流制御装置が作動する。予め設定した逆流時間、例えば５分の間、電磁開閉弁１３を開放し、吸引ポンプ１４を作動して、逆流通路にめっき液を流す。管状軸２内のめっき液は、吸引ポンプ１４付き逆流管１２を経て処理槽１に流入し、管状軸２に固定した巻き筒Ｂを外側から内側に通過し、管状軸２内に流入する。めっき液は、管状軸２、吸引ポンプ１４付き逆流管１２と処理槽１からなる逆流通路を循環する。
【００４６】
滞留工程では、滞留時間制御装置が作動する。予め設定した滞留時間、例えば０．５分の間、圧入ポンプ１０も吸引ポンプ１４も作動せず、順流通路にも逆流通路にもめっき液が流れず、管状軸２に固定した巻き筒Ｂが処理槽１のめっき液に没入して浸漬している。
【００４７】
予め設定しためっき時間が経過する頃には、無電解めっきが巻き筒Ｂの繊維、繊維束又は糸に均等に付着している。無電解めっきは、巻き筒Ｂの内外で均等になる。
【００４８】
［無電解めっきの前処理（図４と図５参照）］
無電解めっき装置の前処理装置は、本処理装置と少し異なるだけである。本処理装置における金属塩溶液と還元溶液の貯蔵槽４、５、ポンプ付きの供給通路７、８、及び、金属塩溶液と還元溶液の両供給制御装置に代えて、図４に示すように、前処理液の貯蔵槽２１、ポンプ付きの供給通路２２と、前処理液の供給制御装置を設けている。また、本処理装置におけるめっき時間制御装置に代えて、前処理時間制御装置を設けている。その他の構成は、本処理装置におけるのと同様である。
【００４９】
無電解めっきの前処理を行う場合、管状軸２には、図４に示すように、チーズソフト巻きの巻き筒Ｂを取り付ける。排出通路１５は、手動開閉弁で閉鎖する。貯蔵槽２１には、前処理液を貯蔵する。
【００５０】
準備の後、前処理装置を運転する。すると、前処理液の供給制御装置が作動する。貯蔵槽２１の前処理液は、予め設定した量が液槽６に供給される。すると、前処理時間制御装置が作動する。予め設定した前処理時間、前処理液の反応が活発である時間、１〜３０分位の間、図５に示すように、順流工程と逆流工程とが交互に繰り返される。順流工程と逆流工程との間、逆流工程と順流工程との間には、滞留工程がある。
【００５１】
順流工程では、順流制御装置が作動する。予め設定した順流時間の間、電磁開閉弁１３を閉鎖し、圧入ポンプ１０を作動して、順流通路に前処理液を流す。液槽６の前処理液は、圧入ポンプ１０付き供給管９を経て管状軸２に流入し、管状軸２に固定した巻き筒Ｂを内側から外側に通過し、処理槽１に流入する。処理槽１に流入した前処理液は、液面が上昇し、管状軸２に固定した巻き筒Ｂが前処理液に没入する。処理槽１の前処理液の液面が処理槽１の流出口、流出管１１の入口に達すると、処理槽１の流出口を超える前処理液は、流出管１１を経て液槽６に流入する。前処理液は、液槽６、圧入ポンプ１０付き供給管９、管状軸２、処理槽１と流出管１１からなる順流通路を循環する。
【００５２】
逆流工程では、逆流制御装置が作動する。予め設定した逆流時間の間、電磁開閉弁１３を開放し、吸引ポンプ１４を作動して、逆流通路に前処理液を流す。管状軸２内の前処理液は、吸引ポンプ１４付き逆流管１２を経て処理槽１に流入し、管状軸２に固定した巻き筒Ｂを外側から内側に通過し、管状軸２内に流入する。前処理液は、管状軸２、吸引ポンプ１４付き逆流管１２と処理槽１からなる逆流通路を循環する。
【００５３】
滞留工程では、滞留時間制御装置が作動する。予め設定した滞留時間の間、圧入ポンプ１０も吸引ポンプ１４も作動せず、順流通路にも逆流通路にも前処理液が流れず、管状軸２に固定した巻き筒Ｂが処理槽１の前処理液に没入して浸漬している。
【００５４】
予め設定した前処理時間が経過する頃には、巻き筒Ｂの繊維、繊維束又は糸が均等に前処理されている。その後、巻き筒Ｂは、前処理装置の管状軸２から取り外し、本処理装置の管状軸２に取り付けて、本処理を行う。
【００５５】
［無電解めっきの例］
巻き筒Ｂの繊維、繊維束又は糸は、ポリエステル繊維又はナイロン繊維、アクリル繊維、アラミド繊維や炭素繊維などの数本の束である。無電解めっきは、銀又は金、白金、銅、パラジウムやニッケルなどの金属めっきである。めっき液は、ポリエステル繊維などに銀などが低速度で析出する低反応性の無電解めっき液である。還元溶液は、ホルマリンのような強還元剤を含まず、弱還元剤を含む。還元力が弱い。また、還元溶液は、析出促進剤を含まず、析出遅延剤を含む。金属の析出速度を遅くする。
【００５６】
貯蔵槽４に貯蔵する金属塩溶液は、水溶液の１リットル当り、金属塩のメタンスルホン酸銀５〜１５ｇと錯化剤のエチレンジアミン２０〜３０ｍｌを含む。貯蔵槽５に貯蔵する還元溶液は、水溶液の１リットル当り、弱還元剤の蟻酸ナトリウム１〜５ｇと析出遅延剤兼安定剤のチオグリコール酸１〜１０ｍｌを含む。金属塩溶液と還元溶液、めっき液は、温度が２０〜２５℃である。処理時間が４０〜９０分である。
【００５７】
ポリエステル繊維などの数本の束は、銀などの無電解めっきが均等に付着する。銀などの金属めっきが連続して被覆されて導電性がある。長さ１cm当りの電気抵抗値が０．００Ω以下である。
【００５８】
前処理は、前処理装置の貯蔵槽２１に貯蔵する前処理液を順次入れ替え、脱脂処理、エッチング処理、中和処理、表面調整処理、触媒付与処理とアクセレータ処理を順次行う。又は、各前処理液毎に専用の前処理装置を配置し、各前処理装置の貯蔵槽２１に各前処理液を貯蔵する。巻き筒Ｂは、各前処理装置で各前処理を順次行う。各前処理の間には、それぞれ、水洗処理を行う。
【００５９】
［変形例］
１）上記の実施形態の本処理装置、前処理装置においては、順流通路は、めっき液、前処理液が巻き筒Ｂを内側から外側への一方向に流れ、逆流通路は、めっき液、前処理液が巻き筒Ｂを外側から内側への逆方向に流れるが、順流通路と逆流通路の流れの向きを反対にする。順流通路は、めっき液、前処理液が巻き筒Ｂを外側から内側への一方向に流れる構成にする。逆流通路は、めっき液、前処理液が巻き筒Ｂを内側から外側への逆方向に流れる構成にする。
【００６０】
２）上記の実施形態の本処理装置、前処理装置においては、管状軸２に取り付ける巻き筒Ｂは、単数であるが、複数にする。
【産業上の利用可能性】
【００６１】
本発明は、電磁波シールド、濾過体や抗菌性物品の素材や、複合材料の強化材の製造に利用される。
【図面の簡単な説明】
【００６２】
【図１】本発明の実施形態における無電解めっき装置の本処理装置に巻き筒を取り付けた状態の概略縦断面図。
【図２】同本処理装置において巻き筒を上方に取り外した状態の概略縦断面図。
【図３】同本処理装置の工程図。
【図４】同無電解めっき装置の前処理装置に巻き筒を取り付けた状態の概略縦断面図。
【図５】同前処理装置の工程図。
【符号の説明】
【００６３】
Ｂ  繊維、繊維束又は糸の巻き筒
１  処理槽
２  管状軸
３  ナット
４  めっき液の金属塩溶液の貯蔵槽
５  めっき液の還元溶液の貯蔵槽
６  液槽
７、８  ポンプ付きの供給通路
９  供給管
１０  圧入ポンプ
１１  流出管
１２  逆流管
１３  電磁開閉弁
１４  吸引ポンプ
１５  排出通路
２１  前処理液の貯蔵槽
２２  ポンプ付きの供給通路
【図１】
2005097670.tif 000003
【図２】
2005097670.tif 000004
【図３】
2005097670.tif 000005
【図４】
2005097670.tif 000006
【図５】
2005097670.tif 000007